(57)【要約】【課題】巻線型コモンモードチョークコイルの低背化を図る。【解決手段】組を成す複数の信号伝送線４ａ，４ｂを磁芯２の中心軸Ｏに沿う方向に整列させた状態で、それら信号伝送線４ａ，４ｂを磁芯２を中心とした同心円状に重ね巻きする。信号伝送線を磁芯の周面に単層で巻き上げていく場合に比べて、巻線型コモンモードチョークコイル１を大幅に低背化することができる。また、巻線型コモンモードチョークコイル１の高さと信号伝送線４ａ，４ｂの太さを変化させずに信号伝送線４ａ，４ｂの巻回数を増加させることができるので、巻線型コモンモードチョークコイルの低背化を図りつつ、コモンモードのインピーダンスを高くできる。巻線型コモンモードチョークコイル１の高さを抑えながら、信号伝送線４ａ，４ｂを太くすることによって直流抵抗値が下がって直流抵抗に起因した発熱量を抑制できるので、大電流化を図ることができる。【選択図】        図１
2004179314.tif 000002
【特許請求の範囲】
【請求項１】
磁芯に信号伝送線を巻回形成して成る巻線型コモンモードチョークコイルにおいて、組を成す複数の信号伝送線が磁芯の中心軸に沿う方向に並んだ状態で、磁芯を中心とした同心円状に重ね巻きされて巻き半径が渦巻き状に拡径していることを特徴とする巻線型コモンモードチョークコイル。
【請求項２】
重ね巻きされた信号伝送線の組が２組以上同じ磁芯に当該磁芯の中心軸方向に並設されていることを特徴とする請求項１記載の巻線型コモンモードチョークコイル。
【請求項３】
磁芯の両端部には、それぞれ、磁芯から略直交方向に張り出した鍔部が形成され、信号伝送線は、それら鍔部の互いに対向し合う一方側の内側平坦面に当接し位置規制されて磁芯に重ね巻きされていることを特徴とする請求項１又は請求項２記載の巻線型コモンモードチョークコイル。
【請求項４】
磁芯の両端部のそれぞれに形成された鍔部のうちの一方側には、重ね巻きの各信号伝送線のそれぞれの両端が個別に接続する複数の信号伝送線接続用電極が設けられると共に、それら信号伝送線接続用電極をそれぞれ別々に外部と接続させるための複数の外部接続用電極が設けられていることを特徴とする請求項３記載の巻線型コモンモードチョークコイル。
【請求項５】
磁芯はフェライト磁性体材料により構成されていることを特徴とする請求項１乃至請求項４の何れか１つに記載の巻線型コモンモードチョークコイル。
【請求項６】
ほぼ同じ太さを持つ複数の信号伝送線から成る１組の信号伝送線が磁芯に重ね巻きされる構成と成し、磁芯の両端部にそれぞれ設けられた鍔部の内側平坦面間の間隔は、前記１組の複数の信号伝送線の並設の幅に信号伝送線１本分の直径を加算した長さとほぼ等しいことを特徴とする請求項３又は請求項４又は請求項５記載の巻線型コモンモードチョークコイル。
【請求項７】
ほぼ同じ太さを持つ複数の信号伝送線から成る１組の信号伝送線が磁芯を中心とした同心円状に重ね巻きされて巻き半径が渦巻き状に拡径している構成を持つ巻線型コモンモードチョークコイルの製造方法であって、磁芯の両端部にはそれぞれ磁芯から略直交方向に張り出した鍔部を設け、それら鍔部にそれぞれ形成された互いに対向し合う内側平坦面間の間隔を、前記１組の複数の信号伝送線の並設の幅に信号伝送線１本分の直径を加算した長さとほぼ等しくしておき、組を成す複数の信号伝送線を磁芯に巻回する際には、まず、それら複数の信号伝送線を磁芯の一端側の鍔部の内側平坦面に沿わせた平面整列状態で１組の信号伝送線を鍔部の内側平坦面上に沿わせながら磁芯の周面に巻き始め、磁芯の周面をほぼ半周以上巻回したときに、その複数の信号伝送線の整列の向きを磁芯の周面に沿う周面整列方向に変えて巻き残りの部分を磁芯の他端側の鍔部の内側平坦面に沿って重ね巻きし、この周面整列の信号伝送線は、平面整列の巻き始め側の信号伝送線と、前記他端側の鍔部の内側平坦面とによって巻回位置が規制されていることを特徴とする巻線型コモンモードチョークコイルの製造方法。
【発明の詳細な説明】
【０００１】
【発明の属する技術分野】
本発明は、信号伝送線を巻回形成して成る巻線型コモンモードチョークコイルおよびその製造方法に関するものである。
【０００２】
【背景技術】
図５（ａ）には巻線型コモンモードチョークコイルの一例が模式的な斜視図により示され、図５（ｂ）には図５（ａ）のＡ−Ａ部分の模式的な断面図が示されている。この巻線型コモンモードチョークコイル２５は、磁芯２６と、当該磁芯２６の両端部にそれぞれ形成された鍔部２７ａ，２７ｂと、対を成す２本の信号伝送線２８ａ，２８ｂとを有して構成されている。
【０００３】
この巻線型コモンモードチョークコイル２５を製造する際には、例えば、図６（ａ）に示すような鍔部２７ａ，２７ｂと一体的に作製された磁芯２６を用意し、図６（ｂ）に示すように、ノズル２９から１対の信号伝送線２８ａ，２８ｂを繰り出しながら、磁芯２６の周面に１対の信号伝送線２８ａ，２８ｂを巻回していく。このとき、２本の信号伝送線２８ａ，２８ｂは、磁芯２６の中心軸方向に沿って並んだ状態で、図６（ｃ）に示されるように、鍔部２７ａ側から鍔部２７ｂ側に向けて磁芯２６に単層に巻き上げていく。図５（ｃ）には、鍔部２７ｂ側から信号伝送線２８ａ，２８ｂの巻回状態を見た図が模式的に示されている。なお、上記のように磁芯に信号伝送線をバネのように巻き上げていく巻き方をソレノイド巻きと呼ぶことがある。
【０００４】
図５の例では、鍔部２７ａには、複数の信号伝送線接続用電極３０が設けられており、信号伝送線２８ａ，２８ｂの各々の両端はそれぞれ別々の信号伝送線接続用電極３０に接続されている。また、鍔部２７ａには、それら信号伝送線接続用電極３０をそれぞれ個別に外部と接続させるための外部接続用電極３１が形成されている。信号伝送線２８ａ，２８ｂは、外部接続用電極３１と信号接続用電極３０を介して外部の回路に接続することができる。
【０００５】
【特許文献１】
特開平８−１８６０３４号公報
【特許文献２】
特開平１１−２５１１５９号公報
【特許文献３】
実開平５−５３２３１号公報
【０００６】
【発明が解決しようとする課題】
ところで、巻線型コモンモードチョークコイルの性能を高めるためには、コモンモードに対しては高いインピーダンスを示し、ノーマルモードに対しては低いインピーダンスを示すことが望ましい。このことを考慮して、巻線型コモンモードチョークコイル２５では、前記したように、２本の信号伝送線２８ａ，２８ｂを磁芯２６の中心軸方向に沿って並んだ状態で磁芯２６に単層に巻き上げている。これにより、信号伝送線２８ａ，２８ｂのそれぞれの巻回により形成されるコイル間の結合を高めることができ、また、それら信号伝送線２８ａ，２８ｂ間の浮遊分布容量の削減を図ることができて、コモンモードに対して高いインピーダンスを持ち、かつ、ノーマルモードに対して低いインピーダンスを持つことができる。
【０００７】
しかしながら、この巻線型コモンモードチョークコイル２５では、対を成す信号伝送線２８ａ，２８ｂを下側の鍔部２７ａから上側の鍔部２７ｂに向けて巻き上げていく構成のために、更にコモンモードのインピーダンスを高めるべく信号伝送線２８ａ，２８ｂの巻回数を増加すると、その巻回数の増加の分だけ、磁芯２６の長さを長くしなければならない。つまり、巻線型コモンモードチョークコイル２５の高さが高くなってしまうという問題がある。
【０００８】
また、巻線型コモンモードチョークコイル２５の高さが規制されている場合には、必然的に、信号伝送線２８ａ，２８ｂの巻回数が制限されてしまい、巻線型コモンモードチョークコイル２５の性能の向上が難しいという問題が生じる。なお、巻線型コモンモードチョークコイル２５の高さが規制されている場合であっても、信号伝送線２８ａ，２８ｂの線の太さを細くすることで、信号伝送線２８ａ，２８ｂの巻回数を増加できるが、この場合には、信号伝送線２８ａ，２８ｂの細径化に起因して信号伝送線２８ａ，２８ｂの直流抵抗が大きくなり、通電電流量が減少してしまうという問題が生じる。
【０００９】
この発明は上記課題を解決するために成されたものであり、その目的は、性能が良く、しかも、低背化が容易な巻線型コモンモードチョークコイルおよびその製造方法を提供することにある。
【００１０】
【課題を解決するための手段】
上記目的を達成するために、この発明は次に示す構成をもって前記課題を解決するための手段としている。すなわち、この発明の巻線型コモンモードチョークコイルは、組を成す複数の信号伝送線が磁芯の中心軸に沿う方向に並んだ状態で、磁芯を中心とした同心円状に重ね巻きされて巻き半径が渦巻き状に拡径していることを特徴としている。
【００１１】
また、この発明の巻線型コモンモードチョークコイルの製造方法は、ほぼ同じ太さを持つ複数の信号伝送線から成る１組の信号伝送線が磁芯を中心とした同心円状に重ね巻きされて巻き半径が渦巻き状に拡径している構成を持つ巻線型コモンモードチョークコイルの製造方法であって、磁芯の両端部にはそれぞれ磁芯から略直交方向に張り出した鍔部を設け、それら鍔部にそれぞれ形成された互いに対向し合う内側平坦面間の間隔を、前記１組の複数の信号伝送線の並設の幅に信号伝送線１本分の直径を加算した長さとほぼ等しくしておき、組を成す複数の信号伝送線を磁芯に巻回する際には、まず、それら複数の信号伝送線を磁芯の一端側の鍔部の内側平坦面に沿わせた平面整列状態で１組の信号伝送線を鍔部の内側平坦面上に沿わせながら磁芯の周面に巻き始め、磁芯の周面をほぼ半周以上巻回したときに、その複数の信号伝送線の整列の向きを磁芯の周面に沿う周面整列方向に変えて巻き残りの部分を磁芯の他端側の鍔部の内側平坦面に沿って重ね巻きし、この周面整列の信号伝送線は、平面整列の巻き始め側の信号伝送線と、前記他端側の鍔部の内側平坦面とによって巻回位置が規制されていることを特徴としている。
【００１２】
【発明の実施の形態】
以下に、この発明に係る実施形態例を図面に基づいて説明する。
【００１３】
図１（ａ）には本発明に係る巻線型コモンモードチョークコイルの一実施形態例が模式的な斜視図により示され、図１（ｂ）には図１（ａ）のＡ−Ａ部分の断面図が模式的に示されている。
【００１４】
この実施形態例の巻線型コモンモードチョークコイル１は、例えばフェライト磁性体材料から成る磁芯２と、この磁芯２の両端部にそれぞれ一体的に設けられている鍔部３ａ，３ｂと、磁芯２に巻回形成される対を成す２本の信号伝送線（例えば金属導体線）４ａ，４ｂとを有して構成されている。
【００１５】
図１（ｃ）には鍔部３ｂ側から見た信号伝送線４ａ，４ｂの巻回状態が模式的に示されている。図１（ｂ）、（ｃ）に示されるように、この巻線型コモンモードチョークコイル１では、対を成す２本の信号伝送線４ａ，４ｂは、磁芯２の中心軸Ｏに沿う方向に隙間無く整列配置した状態で、磁芯２を中心とした同心円状に重ね巻きされており、信号伝送線４ａ，４ｂの巻き半径は渦巻き状に拡径している。なお、このような磁芯への線の巻き方をスパイラル巻きと呼ぶことがある。
【００１６】
この実施形態例では、信号伝送線４ａ，４ｂは太さがほぼ等しく、同じ材料により構成されている。鍔部３ａ，３ｂは磁芯２から略直交方向に張り出しており、当該鍔部３ａ，３ｂには互いに対向し合う内側平坦面８ａ，８ｂが形成されている。それら内側平坦面８ａ，８ｂ間の間隔Ｈは、信号伝送線３本分の太さとほぼ等しくなっている。換言すれば、内側平坦面間の間隔Ｈは、信号伝送線４ａ，４ｂを磁芯２の中心軸Ｏに沿う方向に隙間無く並べた長さ（信号伝送線４ａ，４ｂの並設の幅）に信号伝送線１本分の太さ（直径）を加算した長さとなっている。
【００１７】
また、この実施形態例では、重ね巻きされた信号伝送線４ａ，４ｂは、鍔部３ｂの内側平坦面８ｂに当接しながら磁芯２に重ね巻きされており、その鍔部３ｂにより信号伝送線４ａ，４ｂの配置位置が規制されている。
【００１８】
さらに、この実施形態例では、鍔部３ａには、底部となる部分に、信号伝送線４ａ，４ｂのそれぞれの両端に個別に対応する複数の信号伝送線接続用電極５が設けられており、信号伝送線４ａ，４ｂの各々の両端はそれぞれ対応する信号伝送線接続用電極５に接続されている。また、鍔部３ａには、それら信号伝送線接続用電極５をそれぞれ別々に外部と接続させるための複数の外部接続用電極６が設けられている。信号伝送線４ａ，４ｂは、外部接続用電極６と信号伝送線接続用電極５を介して外部の例えば回路と接続することができる。
【００１９】
この実施形態例では、上記のように、磁芯２に信号伝送線４ａ，４ｂを渦巻き状に重ね巻きしたので、従来のように信号伝送線を磁芯に単層に巻き上げる場合に比べて、格段に、巻線型コモンモードチョークコイル１を低背化することができる。また、巻線型コモンモードチョークコイル１の高さおよび信号伝送線４ａ，４ｂの太さを変化させずに、信号伝送線４ａ，４ｂの巻回数を増加することができる。このため、信号伝送線４ａ，４ｂを太径化し、かつ、巻回数を増加することによって、コモンモードに対するインピーダンスを高くしながら、信号伝送線４ａ，４ｂの直流抵抗値を下げることが可能となる。そのように、直流抵抗値を下げることができることによって、信号伝送線４ａ，４ｂの発熱を抑制することができるので、信号伝送線４ａ，４ｂに流す通電量を増加することができる。
【００２０】
このため、具体的には、例えば、コモンモードのインピーダンスが１０００Ωである巻線型コモンモードチョークコイルが必要な場合に、従来では、直流抵抗に起因した発熱によって許容電流量の上限値は、例えば１．５アンペアであったのに対して、この実施形態例の特有な構成を備えることによって、許容電流量の上限値を例えば２．０アンペアに上昇させることができる。また、例えば、基準の通電電流量が２アンペアとした場合に、従来では、コモンモードのインピーダンスが例えば３５０Ωである巻線型コモンモードチョークコイルしか提供できなかったのに対して、この実施形態例の特有な構成を備えることによって、コモンモードのインピーダンスが例えば１０００Ωというように高コモンモードインピーダンスを持つ巻線型コモンモードチョークコイルを提供することが可能となる。
【００２１】
ところで、巻線型コモンモードチョークコイルに用いられる信号伝送線は丸線であり、その丸線の信号伝送線を渦巻き状に重ね巻きすることは、信号伝送線の周面が曲面であることに起因して非常に難しい。このため、製造効率や歩留まりが大幅に悪化することが懸念される上に、複数の信号伝送線を渦巻き状に重ね巻きすると信号伝送線間の分布容量が増大するという弊害があることが広く知られていることから、信号伝送線を磁芯に渦巻き状に重ね巻きして巻線型コモンモードチョークコイルを作製することは、今まで、考えられないことであった。
【００２２】
しかし、本発明者は、巻線型コモンモードチョークコイルへの強い低背化の要求に応えるべく研究開発を行っているうちに、信号伝送線の渦巻き状の重ね巻きによって、信号伝送線間の分布容量増大の弊害が大きく現れる高周波領域では特性は若干落ちるものの、それ以外の周波数領域では、コモンモードに対するインピーダンスの向上や、ノーマルモードに対するインピーダンスの低下や、信号伝送線の通電量の大電流化などの性能向上が非常に大きいことを見出した。このことは、図３や図４の本発明者の実験結果にも示されている。
【００２３】
その本発明者が行った実験では、信号伝送線を渦巻き状に重ね巻きした本実施形態例の構成を持つ巻線型コモンモードチョークコイルと、信号伝送線を単層に巻き上げた従来の構成を持つ巻線型コモンモードチョークコイルとの２種類の巻線型コモンモードチョークコイルを用意し、各種毎にそれぞれ、コモンモードに対するインピーダンスと、ノーマルモードに対するインピーダンスとの周波数特性を調べた。その結果が、図３および図４に示されている。なお、それら２種類の巻線型コモンモードチョークコイルにおいて、信号伝送線の巻き方以外の条件はほぼ等しくなっている。
【００２４】
図３および図４において、図３の実線ＡＺｃ，ＡＺｎと点線ＢＺｃ，ＢＺｎと図４の実線ＤＺｃ，ＤＺｎは、それぞれ、この実施形態例の構成を持つ巻線型コモンモードチョークコイルに関するものであり、実線ＡＺｃは４アンペアの電流の通電に対するコモンモードのインピーダンスを表し、実線ＡＺｎは４アンペアの電流の通電に対するノーマルモードのインピーダンスを表す。また、点線ＢＺｃは５アンペアの電流の通電に対するコモンモードのインピーダンスを表し、点線ＢＺｎは５アンペアの電流の通電に対するノーマルモードのインピーダンスを表す。さらに、実線ＤＺｃは２アンペアの電流の通電に対するコモンモードのインピーダンスを表し、実線ＤＺｎは２アンペアの電流の通電に対するノーマルモードのインピーダンスを表す。
【００２５】
図３の点線ＣＺｃ，ＣＺｎと図４の点線ＥＺｃ，ＥＺｎは、それぞれ、従来の巻線型コモンモードチョークコイルに関するものであり、点線ＣＺｃは５アンペアの電流の通電に対するコモンモードのインピーダンスを表し、点線ＣＺｎは５アンペアの電流の通電に対するノーマルモードのインピーダンスを表す。また、点線ＥＺｃは２アンペアの電流の通電に対するコモンモードのインピーダンスを表し、点線ＥＺｎは２アンペアの電流の通電に対するノーマルモードのインピーダンスを表す。
【００２６】
図３における実線ＡＺｃ，ＡＺｎ、点線ＢＺｃ，ＢＺｎと、点線ＣＺｃ，ＣＺｎとの比較や、図４における実線ＤＺｃ，ＤＺｎと、点線ＥＺｃ，ＥＺｎとの比較からも明らかなように、信号伝送線を渦巻き状に重ね巻きすることによって、巻線型コモンモードチョークコイルの低背化が図れるだけでなく、信号伝送線４ａ，４ｂ間の分布容量の増大が大きな弊害となる高周波領域を除いた周波数領域では、高コモンモードインピーダンスおよび低ノーマルモードインピーダンスの大幅な電気的性能の向上を得ることができる。つまり、この実施形態例の巻線型コモンモードチョークコイル１は、例えば、直流電源ライン等の、直流や低周波側の信号が通電する回路部分に組み込むことにより、最良の性能を発揮することができる。
【００２７】
本発明者は、信号伝送線の渦巻き状の重ね巻きの難しさを次に示すような製造手法によって克服している。ここでは、図１に示す巻線型コモンモードチョークコイル１を利用して、本発明者が考え出した製造工程の一例を説明する。
【００２８】
例えば、図２（ａ）に示すような鍔部３ａ，３ｂが一体的に形成された磁芯２を用意する。前記したように、それら鍔部３ａ，３ｂは互いに対向し合って磁芯２に略直交する内側平坦面８ａ，８ｂを有し、それら内側平坦面８ａ，８ｂ間の間隔Ｈは、磁芯２に巻回する信号伝送線の巻回層の総数に１を加算した数の信号伝送線の太さの合計値とほぼ等しくなっている。つまり、ここでは、内側平坦面８ａ，８ｂ間の間隔Ｈは、信号伝送線４ａ（４ｂ）の３本分の太さとほぼ等しくなっている。
【００２９】
まず、図２（ｂ）に示されるように、信号伝送線４ａ，４ｂを鍔部３ａの内側平坦面８ａ上に沿わせて整列配置し、その平面整列状態で信号伝送線４ａ，４ｂを内側平坦面８ａ上に沿わせながら磁芯２の周面に巻き始める。そして、磁芯２をほぼ半周程度巻回したところで、信号伝送線４ａ，４ｂの整列の向きを磁芯２の周面に沿う方向（周面整列方向）に変える。
【００３０】
信号伝送線４ａ，４ｂの整列の向きを周面整列方向に変えた後には、図２（ｃ）に示されるように、巻き残りの部分を鍔部３ｂの内側平坦面８ｂに沿わせながら磁芯２を中心とした同心円状に重ね巻きしていく。このとき、その周面整列の信号伝送線４ａ，４ｂは、平面整列の巻き始め側の信号伝送線４ａ，４ｂと、鍔部３ｂの内側平坦面８ｂとによって挟み込まれて巻回位置が規制されており、巻き崩れを防止しながら、対を成す信号伝送線４ａ，４ｂを整然と渦巻き状に重ね巻きすることができる。
【００３１】
以上のような本発明者が考え出した信号伝送線４ａ，４ｂの巻き方によって、この実施形態例の巻線型コモンモードチョークコイルを容易に実現することができるものである。
【００３２】
なお、この発明はこの実施形態例に限定されるものではなく、様々な実施の形態を採り得る。例えば、この実施形態例では、信号伝送線４ａ，４ｂは、断面形状が円形状の丸線であったが、例えば、近年、断面が長方形状や正方形状である四角線等の丸線以外の線が出てきており、そのような丸線以外の形態の線を信号伝送線として利用してもよい。四角線等の平らな周面を有する線を信号伝送線４ａ，４ｂとして用いる場合には、磁芯２に信号伝送線４ａ，４ｂを渦巻き状に重ね巻きすることが容易となり、作業効率の向上を図ることができる。
【００３３】
また、この実施形態例の巻線型コモンモードチョークコイル１は、対を成す２本の信号伝送線４ａ，４ｂが磁芯２に巻回形成されている２線式のものであったが、巻線型コモンモードチョークコイルには、例えば、３線式や、４線式や、２線２対式や、２線４対式等の様々な種類がある。３線式とは、３本の線を１組として磁芯２に巻回するタイプのものであり、４線式とは、４本の線を１組として磁芯２に巻回するタイプのものである。２線２対式とは、２本の線を１組とし、その２本の線の組が２組同じ磁芯２に当該磁芯２の中心軸方向に並設されているものである。同様に２線４対式とは、２本の線の組が４組同じ磁芯２に当該磁芯２の中心軸方向に並設されているものである。
【００３４】
この発明は、そのような様々なタイプの巻線型コモンモードチョークコイルに適用することができるものである。例えば、３線式や４線式のものにあっては、組を成す３本あるいは４本の信号伝送線を磁芯２の中心軸方向に沿う方向に隙間無く並べた状態で、磁芯を中心とした同心円状に重ね巻きして巻線型コモンモードチョークコイル１を構成する。また、２線２対式や２線４対式のものにあっては、例えば、渦巻き形状の２本の信号伝送線の組を２組あるいは４組同じ磁芯２に当該磁芯２の中心軸方向に並設して巻線型コモンモードチョークコイル１を構成する。
【００３５】
【発明の効果】
この発明によれば、組を成す複数の信号伝送線が磁芯を中心として同心円状に重ね巻きされて信号伝送線の巻き半径が渦巻き状に拡径している構成とした。このため、従来のような複数の信号伝送線を磁芯の周面に単層に巻き上げていく構成に比べて、巻線型コモンモードチョークコイルを飛躍的に低背化することができる。
【００３６】
しかも、巻線型コモンモードチョークコイルの高さや信号伝送線の太さを変化させることなく、信号伝送線の巻回数を増加させることができるので、巻線型コモンモードチョークコイルの低背を維持したまま、信号伝送線の巻回数を増加させてコモンモードに対するインピーダンスを高くすることができる。
【００３７】
また、信号伝送線を太くしても、巻線型コモンモードチョークコイルの背高化を小さく抑えることができるので、巻線型コモンモードチョークコイルの低背化と高コモンモードインピーダンスをほぼ保ちつつ、信号伝送線を太くして信号伝送線の直流抵抗値を下げることができる。このため、直流抵抗に起因した信号伝送線の発熱量を小さく抑制することができ、これにより、信号伝送線の通電量を多くすることが可能である。
【００３８】
さらに、信号伝送線に通電する信号が高周波になると、信号伝送線間の分布容量が増大し当該分布容量の弊害によりインピーダンス特性などが若干悪くなってしまうが、高周波以外の周波数領域では、信号伝送線間の分布容量を小さく抑制することができて、ノーマルモードに対するインピーダンスを低減させることができる。
【００３９】
上記のように、組を成す複数の信号伝送線を磁芯に渦巻き状に重ね巻きすることによって、巻線型コモンモードチョークコイルの大幅な低背化を図ることができる上に、高コモンモードインピーダンスおよび低ノーマルモードインピーダンスを得ることができ、さらに、大電流化を図ることができるという画期的な電気的特性を持つことができるという優れた効果を奏することができる。
【００４０】
信号伝送線の組が２組以上同じ磁芯に設けられるタイプのものであっても、この発明の特有な構成を備えることによって、上記同様の優れた効果を得ることができる。また、磁芯の両端部にそれぞれ鍔部が設けられており、信号伝送線はそれら鍔部のうちの一方側に配置位置が規制されているものにあっては、信号伝送線の巻き崩れを回避することができる。さらに、磁芯の両端部にそれぞれ設けられた鍔部の一方側に信号伝送線接続用電極と外部接続用電極が形成されているものにあっては、外部の回路との接続を容易に行うことができることになる。
【００４１】
さらにまた、ほぼ同じ太さの複数の信号伝送線から成る１組の信号伝送線が磁芯に重ね巻きされる構成と成し、磁芯の両端部に設けられた鍔部の内側平坦面間の間隔は、１組の複数の信号伝送線の並設の幅に信号伝送線１本分の直径を加算した長さとほぼ等しい構成を備え、この発明の巻線型コモンモードチョークコイルの製造方法を利用して、巻線型コモンモードチョークコイルを製造することによって、複数の信号伝送線を簡単に巻き崩れなく、整然と磁芯を中心とした同心円状に渦巻き状に重ね巻きすることができる。
【図面の簡単な説明】
【図１】本発明に係る巻線型コモンモードチョークコイルの一実施形態例を説明するための図である。
【図２】本発明に係る巻線型コモンモードチョークコイルの製造工程例を説明するための図である。
【図３】本発明者の実験により得られた巻線型コモンモードチョークコイルの電気特性の一例を示すグラフである。
【図４】図３と同様に、本発明者の実験により得られた巻線型コモンモードチョークコイルの電気特性の一例を示すグラフである。
【図５】巻線型コモンモードチョークコイルの一従来例を説明するための図である。
【図６】従来の巻線型コモンモードチョークコイルの一製造工程例を説明するための図である。
【符号の説明】
１  巻線型コモンモードチョークコイル
２  磁芯
３ａ，３ｂ  鍔部
４ａ，４ｂ  信号伝送線
５  信号伝送線接続用電極
６  外部接続用電極
【図１】
2004179314.tif 000003
【図２】
2004179314.tif 000004
【図３】
2004179314.tif 000005
【図４】
2004179314.tif 000006
【図５】
2004179314.tif 000007
【図６】
2004179314.tif 000008